(57)【特許請求の範囲】
【請求項１】
食品を調製する装置であって、
内壁を有するシェルと、
該シェルの内側に置かれる引出と、
前記シェルの内側に置かれる空気加熱システム及び空気ファンと、
前記内壁と前記引出との間に置かれる滑動機構とを含み、
前記引出は、パンと、食品バスケットとを含み、該食品バスケットは、前記パンの内側に置かれ、
前記滑動機構は、前記内壁の底部分の長手対称軸に沿って位置付けられ、
前記滑動機構は、前記内壁の前記底部分と前記引出の底部分との間に置かれ、
前記滑動機構は、互いに平行に位置付けられる第１のスライダ及び第２のスライダを含み、
前記第１のスライダの第１の部分及び前記第２のスライダの第１の部分は、それぞれ、前記引出の前記底部分に固定される共通の第１の支持体の第１の面及び第２の面に接続され、前記第１のスライダの第２の部分は、前記第１の支持体の前記第１の面に対向して前記内壁の前記底部分に固定される第２の支持体に接続され、前記第２のスライダの第２の部分は、前記第１の支持体の前記第２の面に対向して前記内壁の前記底部分に固定される第３の支持体に接続され、或いは、
前記第１のスライダの第１の部分及び前記第２のスライダの第１の部分は、それぞれ、前記内壁の前記底部分に固定される共通の第１の支持体の第１の面及び第２の面に接続され、前記第１のスライダの第２の部分は、前記第１の支持体の前記第１の面に対向して前記引出の前記底部分に固定される第２の支持体に接続され、前記第２のスライダの第２の部分は、前記第１の支持体の前記第２の面に対向して前記引出の前記底部分に固定される第３の支持体に接続される、
装置。
【請求項２】
前記第１のスライダ及び前記第２のスライダは、ボールベアリングスライダである、請求項１に記載の装置。
【請求項３】
前記第１のスライダ及び前記第２のスライダは、ローラ取付けスライダである、請求項１に記載の装置。
【請求項４】
前記第１のスライダ及び前記第２のスライダは、二部構成スライダである、請求項１に記載の装置。
【請求項５】
前記第１のスライダ及び前記第２のスライダは、三部構成スライダである、請求項１に記載の装置。
【発明の詳細な説明】
【技術分野】
【０００１】
本発明は食品を調製する装置に関し、具体的には、食材(food  ingredients)の上に高温空気の流れを移動させることによって食品を調製する装置に関する。
【背景技術】
【０００２】
食品を調製する装置は、ＥＰ２０３４８７２Ｂ１から知られている。そのような種類の装置は家庭環境において用いられ、それらの食材の周りで高温空気の流れを循環させることによって食材を加熱し、調理し、且つ／或いはフライにする(frying)(揚げる／炒める）解決策を提供する。そのような装置は、一般的には、食品バスケットを有する取り囲まれた引出を含み、使用者は食品バスケット内に食材を置く。使用者が食品バスケットの内側部分にアクセスして、その中に食材を置き得るよう、引出は、使用者によって、例えば、引出に固定されたハンドルを介して、装置から取り出され得る。食材が入れられた引出が装置の内側に戻された後、食材を加熱し、調理し、且つ／或いはフライにするために、高温空気の流れを食材の周りに循環させる。
ＥＰ２６１３６７９Ａ１は、食品を加熱するよう食品の品目の上に高温空気の流れを移動させることによって食品を調製する装置を記載している。ＥＰ２６１３６７９Ａ１の装置は、外壁を備える食品調製チャンバと、空気入口を備える空気受入れ空間を定める内壁と、空気排出開口とを含む。装置は、空気入口を通じて高温空気の流れを連続的に移動させるファンも含み、食品受入れ空間及び排出開口及び排出開口からの空気の流れを空気入口に向かって戻す空気案内手段は、食品受入れ空間から分離している。食品調製チャンバからの空気を装置の外側に排出するために外壁を通じて形成される通気口が設けられ、空気案内部材が空気の流れの一部を通気口に向かって方向付ける。
【０００３】
そのような種類の既知の装置を用いるときには、引出を装置の内側に正しく位置付けるのが困難なことがある。引出が正しく位置付けられないならば、装置の内側で循環させられる高温空気は装置の外側に漏れ、より低い加熱／調理／フライ効率を招く。その上、使用者が食材の実質的な量を食品バスケット内に置くならば、引出の重量は有意になり、引出を操作するときに使用者に不便をもたらす。
【発明の概要】
【発明が解決しようとする課題】
【０００４】
食品を調製するための改良された装置を提案することが本発明の目的である。本発明は独立項によって定められる。従属項は有利な実施態様を定める。
【課題を解決するための手段】
【０００５】
本発明によれば、
内壁を有するシェルと、
シェルの内側に置かれる引出と、
シェルの内側に置かれる空気加熱システム及び空気ファンと、
内壁と引出との間に置かれる滑動機構とを含み、
引出は、パンと、食品バスケットとを含み、食品バスケットは、パンの内側に置かれる、
装置が提供される。
滑動機構は、内壁の底部分の長手対称軸に沿って位置付けられる。
【０００６】
滑動機構は引出を装置の内側に正しく位置付けるのを可能にする。よって、引出とシェルとの間の封止領域は最小限化され、それは装置の内側を循環する高温空気の漏れを回避する。結果的に、食材の加熱／調理／フライ効率が最適化される。その上、使用者が食材の実質的な量を食品バスケット内に置くとしても、使用者が引出を操作する労力は大いに減少させられる。また、パンの内側の食品バスケットの組立ての故に、パンを同時に取り出すことを必要とせずに食品バスケットを取り出し得るという事実によって、操作されるべき重量は減少させられる。然るに、部品を分解することを必要とせずに、洗浄のためにパンを依然として容易に取り出し得る。
【０００７】
好適な実施態様において、滑動機構は内壁の底部分と引出の底部分との間に置かれる。
【０００８】
滑動機構のこの特別な位置は、装置の内側での滑動機構の容易でコンパクト取付けを保証する。
【０００９】
好適な実施態様において、滑動機構は内壁の底部分の長手対称軸に沿って位置付けられる。
【００１０】
シェル及びその内壁が丸い形状であるとき、長手対称軸に沿って滑動機構を位置付けることは、引出をシェルから十分に取り出し得るよう、より長い寸法を有する滑動機構を選択することを可能にする。
【００１１】
好適な実施態様において、滑動機構は、互いに平行に位置付けられる第１のスライダ及び第２のスライダを含む。
【００１２】
この構成は、使用者が引出を引き出すときに、引出のより良好な安定性を可能にする。
【００１３】
好適な実施態様において、滑動機構は、内壁の第１の横方向部分と引出との間に置かれる第１のスライダと、内壁の第２の横方向部分と引出との間に置かれる第２のスライダとを含む。
【００１４】
この滑動機構は、シェル及びその内壁が正方形であるときに容易な組立てを可能にし、使用者が引出を引き出すときの引出の安定性を向上させる。
【００１５】
好適な実施態様において、第１のスライダ及び第２のスライダは、ボールベアリングスライダ(ball-bearing  sliders)である。
【００１６】
この滑動機構は、食品バスケットの重量が有意であるとしても、引出の滑らかな滑動動作を可能にする。その上、これは時間の経過に伴う滑動機構の消耗効果(wearing  effect)を減少させる。
【００１７】
好適な実施態様において、第１のスライダ及び第２のスライダは、ローラ取付けスライダ(roller-mounted  sliders)である。
【００１８】
この滑動機構は、食品バスケットの重量が有意であるとしても、引出の滑らかな滑動動作のための費用効果的な解決策を可能にする。その上、これは時間の経過に伴う滑動機構の消耗効果を減少させる。
【００１９】
好適な実施態様において、第１のスライダ及び第２のスライダは、二部構成スライダ(two-parts  sliders)である。
【００２０】
この種類の滑動機構は有利である。なぜならば、それは費用効果的な解決策だからである。
【００２１】
好適な実施態様において、第１のスライダ及び第２のスライダは、三部構成スライダ(three-parts  sliders)である。
【００２２】
この種類の滑動機構は有利である。なぜならば、それは引出がシェル壁を越えて延びることを可能にし、よって、使用者がパン及び食品バスケットにアクセスするのを容易化することを可能にするからである。
【００２３】
本発明の詳細な説明及び他の特徴は以下に与えられる。
【００２４】
次に、添付の図面を参照して、本発明の好適な実施態様を一例として記載する。
【図面の簡単な説明】
【００２５】
【図１ａ】本発明に従った食品を調製する装置を示す図である。
【図１ｂ】本発明に従った食品を調製する装置を示す図である。
【図１ｃ】本発明に従った食品を調製する装置を示す図である。
【図２ａ】本発明に従った食品を調製する装置を示す図である。
【図２ｂ】本発明に従った食品を調製する装置を示す図である。
【図３ａ】使用者が使用するときの本発明に従った装置を示す図である。
【図３ｂ】使用者が使用するときの本発明に従った装置を示す図である。
【図３ｃ】使用者が使用するときの本発明に従った装置を示す図である。
【図３ｄ】使用者が使用するときの本発明に従った装置を示す図である。
【図４ａ】本発明に従った装置内にスライダを取り付ける解決策を示す図である。
【図４ｂ】本発明に従った装置内にスライダを取り付ける解決策を示す図である。
【図５】正方形の内壁とシェルとを有する本発明に従った装置を示す図である。
【図６ａ】本発明に従った装置内に滑動機構を取り付ける解決策を示す図である。
【図６ｂ】本発明に従った装置内に滑動機構を取り付ける解決策を示す図である。
【図７】本発明に従った装置において用いられるボールベアリングスライダを示す図である。
【発明を実施するための形態】
【００２６】
図１ａ、図１ｂ、図２ａ、及び図２ｂは、本発明に従った食品を調製する装置の様々な図面を描写している。この装置は、内壁２を有するシェル１を含む。例えば、シェル１は、成形プラスチック材料で作製される。装置は、シェル１の内側に配置される引出３(drawer)も含む。使用者が引出を容易に引き出し(pull-out)且つ引き入れ(pull-in)得るよう、ハンドルＨが引出３に取り付けられて設けられるのが有利である。引出３は、パン４(pan)と、食品バスケット５(food  basket)とを含む。食品バスケット５は、パン４の内側に配置される。装置は、シェル１の内側に配置される空気加熱システム６及び空気ファン７も含む。例えば、空気加熱システム６及び空気ファン７は、シェルの内側の上方部分に配置され、装置の内側で高温空気の流れを生成することに向けられている。装置は、内壁２と引出３との間に配置される滑動機構８（摺動機構）も含む。
【００２７】
より具体的には、図１ｂは、引出３が装置の内側に引き入れられた後の本発明に従った装置を例示している。これは滑動機構８が引出３をシェル１の内側に位置付けるのを助け、その結果、引出とシェルとの間の封止領域ＳＡが最小限化される装置である。
【００２８】
引出３はパン４を支持するために用いられる底部分９を備えるのが有利である。加熱システム６は電気電圧によって供給される抵抗器を含むのが有利である。図２ａ及び図２ｂに矢印によって例示する高温空気の流れは、パン４の壁と食品バスケット５の壁との間を下向きに案内され、次に、食品バスケット５の空気透過底部分を通じて上向きに案内される。食品バスケット５の空気透過底部分は、例えば、ネットＮを形成する金属ワイヤで作製される。代替的に（図示せず）、高温空気の流れ又はその一部は、食品バスケット５内に直接的に下向きに案内される。食品バスケット５内で循環させられる高温空気は、使用者が食品バスケット５内に置く食材(food  ingredients)を加熱し、調理し、且つ／或いはフライにすることに向けられる。加えて、加熱システム６が食品バスケット５より上の上方部分に位置付けられるならば、食品バスケット５内に置かれる食材も、加熱システム６によって生成される放射を介して、加熱され、調理され、且つ／或いはフライにされる。
【００２９】
有利には、装置は、例えば、装置の正面部分に配置される、制御パネルＣＰを含む。制御パネルＣＰは、装置の様々なパラメータ、即ち、使用者が以下のボタンＡ、Ｂ、Ｃ、Ｄ、Ｆを介して設定し得るパラメータを領域Ｅに表示するために用いられる。
Ａ：装置の電源オン／オフ
Ｂ：空気加熱システム及び空気ファンの開始／停止
Ｃ：温度及びタイマを事前設定値に設定する
Ｄ：装置の内側の高温空気の温度を増大させる／減少させる
Ｆ：高温空気循環の時間期間を増大させる／減少させる
【００３０】
図３ａ、図３ｂ、図３ｃ、図３ｄは、使用者が用いるときの本発明に従った装置の様々な図面を例示している。
【００３１】
図３ａは、使用者が方向Ａ１に沿って引き出した引出３を例示している。方向Ａ１に沿う引出３の引出しは、食品バスケット５に食材を入れために或いは既に調製された食材を取り出すために、食品バスケット５にアクセスすることに向けられる。滑動機構８は、引出３の操作を容易にする。
【００３２】
図３ｂは、使用者が方向Ａ１に沿って引き出した後の引出３を例示している。この位置において、使用者は既に調製された食材を食品バスケット５から直接的に取り出し得る。
【００３３】
図３ｃは、使用者が方向Ａ１に沿って引き出した後の引出３を例示している。この位置において、使用者は、方向Ａ２に沿ってパン４から食品バスケット５を引き出し、次に、図３ｄに例示するように、既に調製された食材を別個の皿に注ぎ得る。
【００３４】
図１ａに例示するような好適な実施態様において、滑動機構８は、内壁２の底部分２ａと引出３の底部分９との間に置かれる。
【００３５】
図１ａに例示するような好適な実施態様において、滑動機構８は、内壁２の底部分２ａの長手対称軸Ａ３に沿って位置付けられる。長手対称軸Ａ３は、内壁２の底部分２ａの中心軸に対応する。
【００３６】
図１ｃの拡大図に例示するような好適な実施態様において、滑動機構８は、互いに平行に位置付けられる第１のスライダ１０ａ及び第２のスライダ１０ｂを含む。
【００３７】
第１のスライダ１０ａ及び第２のスライダ１０ｂは、図７に沿って描写するような種類のスライダに対応するのが有利である。
【００３８】
図７は、本発明に従った装置において用い得る種類のスライダを例示している。スライダは、長さＬ１を有する外側部分Ｅと、長さＬ２を有する内側部分Ｉとを含む。外側部分Ｅは、金属ボールを含み且つ内側部分Ｉと線形ボール−ベアリング連絡(linear  ball-bearing  liaison)を形成する２つの対向する線形列ＢＢ１及びＢＢ２を有する領域を含む。外側部分Ｅ及び内側部分Ｉは、互いに比較されて線形に滑動し得る。代替的に、スライダは、ローラ取付けスライダであり、その場合には、金属ボールの変わりに金属ローラが用いられる。図７に例示するような二部構成(two-parts)のスライダを用いることの代わりに、シェルから引き出されるときの引出の線形運動の大きさ(amplitude)を増大させるために、三部構成(three-parts)のスライダ（図示せず）を用いることもできる。
【００３９】
図４ａは、本発明に従った装置内に第１のスライダ１０ａ及び第２のスライダ１０ｂを取り付ける解決策を例示している。好ましくは、図７に沿って描写するようなスライダを用い得る。第１のスライダ１０ａの内側部分は、内壁２の底部分２ａに固定される第１の線形支持体Ｓ１に接続される。第２のスライダ１０ｂの内側部分は、内壁２の底部分２ａに固定される第２の線形支持体Ｓ２に接続される。第１のスライダ１０ａの外側部分及び第２のスライダ１０ｂの外側部分は、底部分９を介して引出３に固定される。好ましくは、例示のように、引出３の底部分９は、その中央部分に沿ってＵ形状を形成する。
【００４０】
図４ｂは、本発明に従った装置内に第１のスライダ１０ａ及び第２のスライダ１０ｂを取り付ける解決策を例示している。好ましくは、図７に沿って描写するようなスライダを用い得る。第１のスライダ１０ａの内側部分は、下向きに延び且つ引出３の底部分９に固定される第１の線形脚Ｌ１に接続される。第２のスライダ１０ｂの内側部分は、下向きに延び且つ引出３の底部分９に固定される第２の線形脚Ｌ２に接続される。第１のスライダ１０ａの外側部分及び第２のスライダ１０ｂの外側部分は、線形支持体Ｓ３によって引出３の底部分９に固定され、線形支持体Ｓ３は、内壁２の底部分２ａに固定される。
【００４１】
図５は、シェル１及び内壁２が正方形である、本発明に従った装置を例示している。その場合、滑動機構８は、図６ａ及び６ｂに更に詳細に示すように、内壁２の横方向部分又は内壁２の底部分２ａに取り付けられるのが有利である。
【００４２】
図６ａは、本発明に従った装置内に第１のスライダ１１ａと第２のスライダ１１ｂとを含む滑動機構８を取り付ける解決策を例示している。好ましくは、図７に沿って描写するようなスライダを用い得る。第１のスライダ１１ａは、内壁２の第１の横方向部分１２ａと引出３との間に置かれる。第１のスライダ１１ａの内側部分は、第１の横方向部分１２ａに接続され、第１のスライダ１１ａの外側部分は、引出３の底部分９から下向きに延びる脚１３ａに接続される。第２のスライダ１１ｂは、内壁２の第２の横方向部分１２ｂと引出３との間に置かれる。第２のスライダ１１ｂの内側部分は、第２の横方向部分１２ｂに接続され、第２のスライダ１１ｂの外側部分は、引出３の底部分９から下向きに延びる脚１３ｂに接続される。
【００４３】
図６ｂは、図６ａの代替的な解決策を例示しており、そこでは、第１のスライダ１１ａ及び第２のスライダ１１ｂが、図６ａの取付けと比較して、それらの長手軸の周りで９０°の角度だけ回転させられている。結果的に、スライダ１１ａ及び１１ｂの内側部分は、内壁２の底部分２ａに固定され、スライダ１１ａ及び１１ｂの外側部分は、引出３の底部分９に固定される。
【００４４】
請求する発明を実施する当業者は、図面、本開示、及び付属の請求項の研究から、開示の実施態様に対する他の変形を理解し且つ達成し得る。請求項において、「含む」という用語は他の要素又はステップを排除せず、単数形の表現は複数形を排除しない。単一のユニットが請求項において引用する幾つかの品目の機能を充足してよい。特定の手段が相互に異なる従属項において引用されているという単なる事実は、これらの手段の組み合わせを有利に用い得ないことを示さない。請求項中の如何なる参照符号も請求項の範囲を限定するものと解釈されてならない。
【図１ａ】
0006475731.tif 000002
【図１ｂ】
0006475731.tif 000003
【図１ｃ】
0006475731.tif 000004
【図２ａ】
0006475731.tif 000005
【図２ｂ】
0006475731.tif 000006
【図３ａ】
0006475731.tif 000007
【図３ｂ】
0006475731.tif 000008
【図３ｃ】
0006475731.tif 000009
【図３ｄ】
0006475731.tif 000010
【図４ａ】
0006475731.tif 000011
【図４ｂ】
0006475731.tif 000012
【図５】
0006475731.tif 000013
【図６ａ】
0006475731.tif 000014
【図６ｂ】
0006475731.tif 000015
【図７】
0006475731.tif 000016